(57)【特許請求の範囲】
【請求項１】
入力された赤外線を変換して電気信号出力する受光素子と、前記電気信号を増幅し、同増幅した電気信号からリモコン信号を取り出して出力する増幅回路と、前記リモコン信号が入力されてから前記増幅回路の感度を自動調整するまでの充電遅延時間と、前記リモコン信号がなくなってから前記増幅回路の感度を自動調整するまでの放電遅延時間とが設定されたオートゲインコントロール（ＡＧＣ）回路と、時定数時間を設定する時定数回路を備え、その積分動作によって入力した前記リモコン信号から再起動パルスのみ取り出して起動信号として出力するパルス検出回路と、前記起動信号により停止していたクロックを発振させるクロック信号発振回路とを備え、入力した前記リモコン信号からリモコンコードを取り出す制御手段とを備えたリモコン信号受信回路であって、
前記リモコン信号は、信号がオンとなるオン部と、これに続くオフ部とからなる前記再起動パルスと、これに続く前期リモコンコードを表すパルスとからなり、
前記オン部時間＜前記充電遅延時間、かつ、前記オフ部時間＞前記放電遅延時間の関係であり、
前記再起動パルスのオン部時間＞前記パルス検出回路の時定数時間の関係であることを特徴とするリモコン信号受信回路。
【請求項２】
前記オフ部時間は、前記オン部時間より長いことを特徴とする請求項１記載のリモコン信号受信回路。
【発明の詳細な説明】
【技術分野】
【０００１】
本発明は、赤外線などを用いるリモコンの受信回路に係わり、より詳細には、省電力モードによる停止状態の制御マイコンを起動させるタイミングに関する。
【背景技術】
【０００２】
従来、リモコン信号受信回路は図３のブロック図に示す省電力装置に備えられている。
図３において、符号１１は、赤外線を用いた遠隔操作機能の受信手段であるリモートコントロール受光回路（以下、リモコン受光回路という）で、図示されていない遠隔操作機能の送信手段から発信された赤外線によるキーコード信号を受光増幅検波し、波形整形後、リモコンパルスコードとして出力する。
【０００３】
リモコン受光回路１１の出力は、電子機器を構成する各種回路及び動作機能を制御する制御用マイクロコンピュータ（以下、制御マイコンという）１２に供給される。制御マイコン１２は、リモコン受光回路１１から供給されたリモコンパルスコードに応じて、電子機器を構成する信号処理回路や動作機能を制御する回路等を制御するシステム・マイコン部１２ａと、時計機能や電子機器の動作表示を制御するタイマー・マイコン部１２ｂとを有している。
【０００４】
このタイマー・マイコン部１２ｂは、システム・マイコン部１２ａの基準クロック信号とは異なる独立した数十キロヘルツの基準クロック信号で動作しており、たとえ商用電源が切断されたとしても、バックアップ用の電池を用いて動作し、時計機能を維持するようになっている。
【０００５】
一方、制御マイコン１２のシステム・マイコン１２ａからの制御信号は、電子機器を構成する各種信号処理回路や動作機能を制御する回路等から構成される信号処理・動作回路１３に出力され、制御マイコン１２のタイマー・マイコン１２ｂで生成された時刻や動作表示は、図示されていない表示手段に出力される。
【０００６】
そして、信号処理・動作回路１３には動作電源を供給する主電源回路１４が接続されており、主電源回路１４は制御マイコン１２からの指示に従って、信号処理・動作回路１３への動作電源供給をオン・オフする。制御マイコン１２には、基準クロック信号を供給するクロック発生回路１５が接続されている。
【０００７】
リモコン受光回路１１、制御マイコン１２及びクロック発生回路１５には、動作電源を供給する待機用電源回路１６が接続されている。主電源回路１４と待機用電源回路１６は、主電源スイッチ１７を介して商用電源に接続されている。
【０００８】
再起動信号発生回路１８は、待機用電源回路１６から供給される動作電源により動作し、リモコン受光回路１１からの特定のリモコンパルスコードに応じて起動信号を生成し、制御マイコン１２を再起動させるようになっている。
【０００９】
次に、この省電力装置の動作について説明すると、最初に主電源スイッチ１７がオンされ、商用電源は、主電源回路１４と待機用電源回路１６に供給される、この時、主電源回路１４は、リモコン受光回路１１から供給された電源操作用のリモコンパルスコードにより、制御マイコン１２で生成された電源モードでオフされており、主電源回路１４から信号処理・動作回路１３には動作電源が供給されてなく、リモコン受光回路１１、制御マイコン１２、クロック発生回路１５及び再起動信号発生回路１８には、待機用電源回路１６から動作電源が供給されている。以下この状態を電子機器の待機状態と呼称する。
【００１０】
この電子機器の待機状態では、リモコン受光回路１１、制御マイコン１２、クロック発生回路１５及び再起動信号回路発生回路１８に動作電力が供給されているために、リモコン受光回路１１と再起動信号発生回路１８とでは、数ｍＷの電力が消費され、制御マイコン１２とクロック発生回路１５とでは数十ｍＡ以上の電流が流れて、最低でも１００ｍＷの電力が消費される。
【００１１】
主電源回路１４をオフとする電源モードにより、クロック発生回路１５から制御マイコン１２への基準クロック信号の供給を停止し、待機用電源回路１６から制御マイコン１２のメモリバックアップ用の電力のみを供給する省電力モードにすると、制御マイコン１２の電源電流は１μＡ以下となり、消費電力も数μＷ程度となる。このように、主電源回路１４をオフとした際に、制御マイコン１２に供給するクロック発生回路１５からの基準クロック信号を停止し、更に、待機用電源回路１６からクロック発生回路１５への電源供給を停止することにより、制御マイコン１２は省電力モードとなる。
【００１２】
制御マイコン１２は、これに備えられた専用端子に入力される立ち上がり信号のエッジで省電力モードを解除できるようになっており、省電力モードに移行した後、再起動信号発生回路１８から制御マイコン１２の専用端子に再起動信号を供給して、省電力モードを解除し、待機モードに移行させるようになっている。
【００１３】
この再起動信号発生回路１８の動作について、図４の信号波形図を用いて詳細に説明する。図４（ａ）は、図示されていないリモコン発信手段のキー操作により、リモコン受光回路１１が受信して、制御マイコン１２に出力するリモコンパルスコードを示す動作波形である。図中の時間ｔ０〜ｔ３の期間は、リモコン受光回路１１の出力が無出力状態を示している。時間ｔ３は、リモコン受光回路１１からの出力開始位置を示している。
【００１４】
時間ｔ３〜ｔ４の９ｍｓ（ミリセカンド）期間は、リモコンパルスコードのリーダ部分であり、時間ｔ５〜ｔ６の５４ｍｓ期間は、リモコンパルスコードのパルス列の期間で、３２ビットのリモコンパルスコード列で表現される。なお、時間ｔ４〜ｔ５の期間は、リーダ部分とパルス列の区分を明確にする期間である。
【００１５】
すなわち、リモコン受光回路１１から出力された時間ｔ３〜ｔ４のリーダ部分と、時間ｔ４の４．５ｍｓ後の時間ｔ５〜ｔ６の期間のパルス列の内容を基にして、主電源回路１４のオン・オフを始めとする信号処理・動作回路１３の動作を制御している。
【００１６】
リモコン発信手段の電源キーを押下すると、このようなリモコンパルスコードが出力されて主電源回路１４がオフとなる。すると、主電源回路１４から信号処理・動作回路１３への電源供給は停止され待機状態となり、且つ、クロック発生回路１５から制御マイコン１２への基準クロック信号の供給を停止すると、制御マイコン１２が省電力モードとなる。
【００１７】
次に、主電源回路１４がオフで、且つ、制御マイコン１２が省電力モードの状態から、待機モードに再起動させるタイミングについて、図４（ｂ）を用いて説明する。
【００１８】
この制御マイコン１２を省電力モードから待機モードに再起動させるために、図４（ａ）に示した通常動作のリモコンパルスコード波形の時間ｔ３のリーダ部分の開始前の時間ｔ０〜ｔ３の期間に約２００ｍｓの再起動パルスを付加したリモコンパルスコード形式を使用している。
【００１９】
この再起動パルスを付加したリモコンパルスコードがリモコン発信手段から発信されると、リモコン受光回路１１がこれを受信し、且つ、制御マイコン１２と再起動信号発生回路１８にこの受信信号が供給される。一方、制御マイコン１２は省電力モード状態のために、再起動パルス付リモコンパルスコードの解読は出来ない。
【００２０】
再起動信号発生回路１８は、供給された再起動パルス付リモコンパルスコードにおける時間ｔ０〜ｔ３の期間の再起動パルスを検出し、且つ、検出した再起動パルスを基に立ち上がりパルスを生成して、制御マイコン１２に供給して、省電力モードを解除する。この再起動信号発生回路１８は、積分回路と単安定マルチバイプレータ等で構成し、積分回路の時定数Ｔは、１００ｍｓ程度に設定されている。
【００２１】
この１００ｍｓの期間内に再起動パルスが存在する際にトリガ信号を発生させ、このトリガ信号を単安定マルチバイプレータにて立ち上がりパルスを発生させる。この立ち上がりパルスの発生状態を図４（ｃ）に示している。図４（ｂ）に示した時間ｔ０〜ｔ２の期間の再起動パルスにより、時間ｔ０から時定数Ｔの１００ｍｓの時点の時間ｔ１で、立ち上がりパルスが生成される。
【００２２】
再起動信号発生回路１８で生成された立ち上がりパルスは、制御マイコン１２に再起動信号として供給される。立ち上がりパルスが入力された制御マイコン１２は、図４（ｄ）に示すように、時間ｔ１のタイミングで、省電力モードを解除し、クロック発生回路１５から基準クロック信号を供給して発振クロック周波数が安定するウォーミングアップ後の時間ｔ２のタイミングで待機モードを再度開始する。そして、制御マイコン１２は、時間ｔ３のタイミングからリモコンパルスコードの読み込みを実施する。
【００２３】
この時、リモコン受光回路１１から主電源回路１４の電源をオンするパルスコードが出力されると、制御マイコン１２は主電源回路１２をオンする信号が出力され、信号処理・動作回路１３に動作電源供給を開始し、電子機器が通常動作を開始する（例えば、特許文献１参照。）。
【００２４】
ところで、赤外線を用いたリモコンの欠点として、日光などの自然界からの赤外線や隣接する他の機器、例えば蛍光灯などからの影響を受けることがある。これらはリモコンに使用する赤外線の波長に近い波長の光を含んでいるために発生する。さらに、日中は日光による強い赤外線があるが、夜になると減少する。また、蛍光灯からの赤外線の強さは蛍光灯の点灯時や消灯時で大きく異なるなど、このような雑音信号のレベルが常に変動しているという問題がある。
【００２５】
従って、この問題に対処するため、リモコン受信機の受信感度を予め低下させておくと、実際のリモコン信号のレベルも低下して結果的に到達距離が短くなり、扱いづらいリモコンとなってしまう。逆にリモコン受信機の受信感度を予め高めておくと、前述した不要な赤外線も増幅して受信してしまい、結果的に不要な赤外線信号とリモコン信号とが区別できなくなってしまう。
【００２６】
このため、最近ではＡＧＣ（Aouto Gain Control) 回路を備えたリモコン受信機が普及しており、周囲の赤外線の明るさに適応してリモコン受信機の受信感度を自動的に変化させるようにし、常に最適な受信感度を保つようになっている。
【００２７】
しかしながら、一般的にＡＧＣ回路の動作は過剰に反応しないように、受信レベルが変化してから一定の遅延時間の後に動作するようになっている。つまり、周囲の明るさが変化しても一定時間（遅延時間）、その変化した明るさに対応する受信感度を維持するようになっている。このため、前述したような長い再起動パルス( オン時間が１３０ｍＳ）を受信すると周囲が明るいと誤認識してしまい、一定時間（充電遅延時間）の間は受信感度を低下させたままになる。そして、再起動パルスがなくなってから一定時間（放電遅延時間）が経過すると、その時に受信している赤外線のレベルに対応した受信感度に推移する。
【００２８】
従って、長い再起動パルスを受信している間にＡＧＣの充電遅延時間が経過した場合、再起動パルスの受信レベルに対応した受信感度に推移することになる。この再起動パルスは比較的受信レベルが高い信号であるため、ＡＧＣ回路は受信感度を低下させる方向に推移し、一定時間（放電遅延時間）の間、この低い受信感度を維持する。
【００２９】
この状態で再起動パルスに続く本来のリモコン信号を受信すると、受信感度が低下したままであったり、あるいはＡＧＣによる受信感度推移の過渡期であったりするため、受信感度不足や受信レベルの変動により、正常なリモコンパルスコードの受信ができなくなる場合がある。
【００３０】
このような理由により、結果的にリモコン信号の到達距離が短くなってしまうという問題があった。さらに、前述したような長い再起動パルスを送信ということは、すなわち、この間、リモコン送信機の赤外線発光素子を駆動することになり、リモコン送信機の電池消耗を早めることになってしまうという問題もあった。
【００３１】
【特許文献１】特開平１１−２７２３７１号公報（第４−５頁、図２）
【発明の開示】
【発明が解決しようとする課題】
【００３２】
本発明は以上述べた問題点を解決し、先頭に起動用の信号を付加されたリモコン信号を受信し、ＡＧＣ回路を備えたリモコン受信回路であっても、ＡＧＣ機能を正常に機能させると共に、リモコン送信機の電池消耗を低減させることを目的とする。
【課題を解決するための手段】
【００３３】
本発明は上述の課題を解決するため、入力された赤外線を変換して電気信号出力する受光素子と、前記電気信号を増幅し、同増幅した電気信号からリモコン信号を取り出して出力する増幅回路と、前記リモコン信号が入力されてから前記増幅回路の感度を自動調整するまでの充電遅延時間と、前記リモコン信号がなくなってから前記増幅回路の感度を自動調整するまでの放電遅延時間とが設定されたオートゲインコントロール（ＡＧＣ）回路と、時定数時間を設定する時定数回路を備え、その積分動作によって入力した前記リモコン信号から再起動パルスのみ取り出して起動信号として出力するパルス検出回路と、前記起動信号により停止していたクロックを発振させるクロック信号発振回路とを備え、入力した前記リモコン信号からリモコンコードを取り出す制御手段とを備えたリモコン信号受信回路であって、
前記リモコン信号は、信号がオンとなるオン部と、これに続くオフ部とからなる前記再起動パルスと、これに続く前期リモコンコードを表すパルスとからなり、
前記オン部時間＜前記充電遅延時間、かつ、前記オフ部時間＞前記放電遅延時間の関係となり、
前記再起動パルスのオン部時間＞前記パルス検出回路の時定数時間の関係となるように構成する。

【００３５】
また、前記オフ部時間は、前記オン部時間よりも長くなるようにする。
【発明の効果】
【００３６】
以上の手段を用いることにより、本発明によるリモコン信号受信回路によれば、請求項１に係わる発明は、
ＡＧＣ回路の充電遅延時間および放電遅延時間に影響されることなく、再起動パルスに続くリモコンコードを正しく、また、感度を下げることなく受信することができる。
【００３７】
また、請求項２に係わる発明は、オフ部時間をオン部時間よりも長くなるようにすることにより、再起動パルスのオン部時間のデューティー比が小さくなり、リモコン送信機の赤外線発光素子の駆動時間を低減させることができ、背景技術で説明したタイミングに比べてリモコン送信機のバッテリ消耗を低減させることができる。
【発明を実施するための最良の形態】
【００３８】
以下、本発明の実施の形態を、添付図面に基づいた実施例として詳細に説明する。本発明の特徴は通常のリモコン信号の先頭に付加する再起動パルスのタイミングがＡＧＣ回路の遅延時間を考慮して決定されていることにある。
【実施例１】
【００３９】
図１は本発明による赤外線のリモコン受信回路の概略ブロック図である。
このリモコン受信回路は、図示しないリモコン送信機から送信される赤外線のリモコン信号を受信するフォトアンプ１と、同フォトアンプ１から出力されるリモコン信号が入力ポートに接続され、制御手段からなるマイコン２と、フォトアンプ１から出力されるリモコン信号を入力すると共に、出力信号がマイコン２の割込み端子（ＩＮＴ）へ接続され、所定幅以上のパルスのみ通過させるパルス検出回路６とで構成されている。
【００４０】
フォトアンプ１は、入力された赤外線を変換して電気信号出力する受光素子１ａと、電気信号を増幅し、この増幅した電気信号からリモコン信号を取り出して出力する増幅回路１ｃと、電気信号のレベルが変化してから所定の遅延時間（充電遅延時間又は放電遅延時間）後に増幅回路１ｃの感度を自動調整するオートゲインコントロール（ＡＧＣ）回路１ｂとを備えている。
【００４１】
なお、これらの回路全てには図示しない電源回路が接続され、常に電源が供給されている。ただし、マイコン２がクロックを停止した省電力モードのときには、ほとんど電力を消費しない構成になっている。また、マイコン２からは、図示しない信号処理・動作回路や主電源回路へ制御信号が出力されている。これらの動作については、背景技術で説明しているため、詳細な説明を省略する。
【００４２】
パルス検出回路６は入力信号が接続されたインバータ３と、同インバータ３の出力に一端を接続された抵抗４と、同抵抗４の他端に、一端が接続され、他端が接地されたコンデンサ５と、抵抗４の他端に入力が接続され、出力がマイコン２の割込み端子（ＩＮＴ）へ接続されるインバータ７とで構成されている。
【００４３】
フォトアンプ１は受信感度を自動調節するＡＧＣ回路を備えており、周囲の明るさに対応して最適な受信感度を保つようになっている。なお、ＡＧＣ回路は瞬間的なノイズ（赤外線）では反応しないように、入力される赤外線の信号レベルの変動に対して一定の遅延時間を持たせて変化するように設計されている。
【００４４】
この遅延時間は一般的に種々の要素を考慮して、数十ｍＳ（ミリセカンド）程度に設定されている。なお、この遅延時間は、信号が入力された時の充電遅延時間と、信号がなくなったときの放電遅延時間とに区別される。
なお、本実施例ではこのＡＧＣ回路の遅延時間が、充電遅延時間＝放電遅延時間＝５０ｍＳのフォトアンプ１を例として説明する。
【００４５】
パルス検出回路６の中の抵抗４とコンデンサ５とで約２０ｍＳの時定数回路を構成しており、その積分動作によって受信した赤外線信号から、背景技術で説明した再起動パルスのみを取り出すと共に、２０ｍＳ以下のノイズをカットするようになっている。
【００４６】
マイコン２は省電力モードを備えており、内蔵されたクロック信号発振回路２ａを停止させることにより、停止時にほとんど電力を消費しない構成になっている。また、マイコン２自身の命令により、一旦、クロック信号発振回路２ａを停止させると、マイコン２自身ではクロック信号発振回路２ａを再起動することができない。従って、クロック信号発振回路２ａを起動させてマイコン２を通常の動作に復帰させるためには、外部からの起動信号が必要である。
【００４７】
マイコン２のＩＮＴ端子がこの起動信号の受付端子であり、省電力モード時にこの端子に立ち下がりの信号が入力されると、内部のクロック信号発振回路２ａを起動するように構成されている。なお、ＩＮＴ端子に立ち下がりの信号が入力されるとクロック発振は開始されるが、その信号レベルや周波数は一定時間が経過しないと安定しない。この時間は一般的に２０〜３０ｍＳ程度であり、このため、実際にマイコン２が処理を開始するのは、ＩＮＴ端子に立ち下がりの信号が入力されてから約３０ｍＳのウォーミングアップ期間が経過してからとなる。
【００４８】
このように内部のクロック信号発振回路２ａが起動され、マイコン２が通常動作を開始するとマイコン２の入力ポートから入力されるリモコン信号がデコード可能になり、このデコードされたコマンドにより、図示しない主電源や接続された機器、例えばエアコンのモータや表示装置を駆動したりする。なお、マイコン２やフォトアンプ１、インバータ３，７などは、図示しない電源回路によって、常に電源が供給されている。これらの動作については背景技術で説明しているため、詳細な説明を省略する。
【００４９】
次に以上説明したリモコン受信回路のタイミングについて図２のタイムチャートを用いて説明する。図２（Ａ）はフォトアンプ１から出力される赤外線のリモコン信号であり、アクティブロー表記である。図２（Ｂ）はＡＧＣ回路１ｂによって制御される増幅回路１ｃの感度を表しており、上方向が感度が高く、下方向が感度が低い状態を表している。図２（Ｃ）はパルス検出回路６の時定数回路の電圧を表しており、図２（Ｄ）はマイコン２のＩＮＴ端子の信号を示している。図２（Ｅ）はクロック信号発振回路２ａのクロック発振波形を示し、図２（Ｆ）はマイコン２の各モードの移行状態を示している。
【００５０】
図２（Ａ）は、マイコン２が通常動作の時に受け付けるリモコン信号であるリモコンコード（リーダー信号に続く複数のパルス列）の先頭に、１４０ｍＳの再起動パルスが付加された様子を表している。再起動パルスは信号がローレベル、つまりオン状態であるオン部（ｔ２＝４０ｍＳ）と、これに続き、信号がハイレベル、つまりオフ状態であるオフ部（ｔ３＝１００ｍＳ）とで構成されている。
【００５１】
前述のように、再起動パルスはマイコン２が省電力モード時に、これを解除するためだけに使用されるパルスであり、マイコン２が通常動作の場合はリモコンコードの部分のみが図示しないリモコン送信機から送信される。従って、一般的には対象機器の主電源を投入するためにリモコン送信機の電源ボタンを押下したときのみに送信されるパルスである。
【００５２】
図２（Ｂ）は、図２（Ａ）のリモコン信号がフォトアンプ１から出力された場合のＡＧＣ回路１ｂによるＡＧＣ感度を示している。フォトアンプ１に入力される赤外線の信号のレベルが大きく、また信号が連続する場合に感度を低下させ、赤外線の信号がない場合に感度を高くするように推移する。なお、前述のように、ＡＧＣ回路１ｂは、感度を低下させる場合に働く充電遅延時間ｔ５＝５０ｍＳと、感度を高める時に働く放電遅延時間ｔ５’＝５０ｍＳの遅延時間を備えているため、実際の感度レベルの変化はこの遅延時間の経過後に現れる事になる。
【００５３】
図２（Ｃ）は、図２（Ａ）の赤外線によるリモコン信号がフォトアンプ１に入力された場合のパルス検出回路６の積分電圧変化を示している。この積分回路は抵抗４とコンデンサ５との値により２０ｍＳの時定数に設定されている。これは、商用電源電圧のピークが１０ｍＳ毎に繰り返される蛍光灯の５０Ｈｚノイズを除去するためである。当然のことながら６０Ｈｚの場合は商用電源電圧のピークが８ｍＳ毎になるため、同様にノイズを除去することができる。
【００５４】
この積分出回路の電圧はインバータ７に入力されているため、インバータ７のスレッシュホールド電圧からなる閾値を境に、オンとオフとが切り換えられ、図２（Ｄ）の波形が得られる。前述のように閾値を境に、オンとオフとが切り換えられるため、パルス検出回路６で積分されたノイズはこの閾値に届かないため、全て除去されることになる。
【００５５】
これはリモコン送信機から出力されるリモコンコードのリモコン信号も同様である。一般的にリモコンコードの中で最も長いリーダー信号であっても９ｍＳ前後であり、このリーダー信号を含むリモコンコード全体であっても、積分回路で積分された結果、閾値に届かないため、インバータ７からは出力されない。
【００５６】
図２（Ｅ）は、マイコン２に内蔵されたクロック信号発振回路２ａでのクロック発振波形を示している。図２（Ｄ）の再起動パルス信号の立ち下がりにより、マイコン２のＩＮＴ端子からマイコン２のクロック信号発振回路２ａへ発振開始信号が出力され、これに対応してクロックが発振を始める。ただし、前述のように、クロック発振のウォーミングアップ時間（ｔ４＝３０ｍＳ）が経過しないとクロックが安定しない。
【００５７】
図２（Ｆ）は、マイコンの状態を示しており、クロック発振停止の省電力モードから、再起動パルスの入力によるクロック発振開始、ウォーミングアップ期間を経て通常動作へ移行し、リモコンコード待ちからリモコンコード取込みに至る状態を示している。
【００５８】
図２において、再起動パルスのオン部（ｔ２＝４０ｍＳ）は、パルス検出回路６を通り抜け、パルス検出回路６の時定数（ｔ１＝２０ｍＳ）だけ遅延し、起動パルス（ｔ２’＝４０ｍＳ）としてマイコン２のＩＮＴ端子に入力される。この起動パルスの立ち下がりでマイコン２のクロックが発振を開始し、ウォーミングアップ期間（ｔ４＝３０ｍＳ）を経て、マイコン２が通常動作を開始する。
【００５９】
マイコン２は通常動作を開始すると、再起動パルスに続くリモコンコードを入力ポートを監視することで待っている。この時点でリモコン信号の再起動パルス立ち下がりから５０ｍＳ（ｔ１＋ｔ４）しか経過していないため、リーダー信号の立ち下がりまでは９０ｍＳ（ｔ２＋ｔ３−ｔ１−ｔ４）の余裕があり、十分に対応可能である。
【００６０】
一方、ＡＧＣ感度は再起動パルスのオン部によって一時的に感度を下げるが、１００ｍＳ（ｔ５＋ｔ５’）後には元の感度に復帰しており、１４０ｍＳの再起動パルス（ｔ２＋ｔ３）の後に続くリモコンコードに影響を与えることがない。
【００６１】
以上説明したタイミングを関係式で表すと以下のようになる。なお、ｔ１：パルス検出回路の時定数、ｔ２：再起動パルスのオン部、ｔ３：再起動パルスのオフ部、ｔ４：ウォーミングアップ期間、ｔ５：ＡＧＣ回路の充電遅延時間、ｔ５’：ＡＧＣ回路の放電遅延時間と定義する。
再起動パルス＝ｔ２＋ｔ３  ・・・・・・・式１
また、再起動パルスのオン／オフにより、当初の感度に復帰するために、ＡＧＣ回路１ｂの充電遅延時間と放電遅延時間との関係において、以下の通りになる必要がある。
ｔ２＜ｔ５  かつ、  ｔ３＞ｔ５’・・・・式２
つまり、式２の意味するところは、
オン部時間＜充電遅延時間、かつ、オフ部時間＞放電遅延時間  ・・・・式３
となる。また、
ｔ２＞ｔ１          ・・・・・・・式４
も同時に満足させる必要がある。つまり、
再起動パルスのオン部時間  ＞  パルス検出回路時定数時間  ・・・・式５
となる。
【００６２】
また、ＡＧＣ回路１ｂでの充電遅延時間ｔ５は、再起動パルスのオン部時間ｔ２よりも長い時間が必要である。もし、短い場合は、再起動パルスのオン部を受信中にＡＧＣ感度が低下し、最悪の場合に再起動パルスのオン部の後半部分が受信できなくなる可能性がある。従って、以下の関係を保たなければならない。
ｔ５＞ｔ２  または、最悪でも  ｔ５＝ｔ２・・・・・・・式６
一方、一般的にフォトアンプ１のＡＧＣ回路１ｂの遅延時間は、アナログの積分回路を用いて生成される場合がほとんどである。アナログの積分回路の特性として充電時間よりも放電時間が長くなる傾向がある。従って、
ｔ５＜ｔ５’の関係となる。ここで、放電時間を最も短く設定できたとした場合、
ｔ５＝ｔ５’    ・・・・・・式７
ここで、式６と式７とで考えると、  ｔ５＝ｔ５’＝ｔ２    ・・・・式８
一方、再起動パルスは、充電遅延時間と放電遅延時間との合計よりも大きい必要がある。従って、
再起動パルス  ＞  ｔ５＋ｔ５’・・・・式９
また、式９に式１を代入すると、ｔ２＋ｔ３＞ｔ５＋ｔ５’・・・・式１０
従って、式１０を変形すると、
ｔ３＞ｔ５＋ｔ５’−ｔ２      ・・・・・・・式１１
となる。ここで、式８を式１１に代入すると、ｔ３＞ｔ２＋ｔ２−ｔ２となり、最終的には以下の通りになる。
ｔ３＞ｔ２    ・・・・・・・式１２
これは以下の条件を意味している。
再起動パルスのオフ部時間  ＞  再起動パルスのオン部時間・・・式１３
【００６３】
このように、式３を満足する再起動パルスであれば、フォトアンプ１のＡＧＣ回路１ｂの遅延時間に影響されることなく、再起動パルスに続くリモコンコードを正しく、また、感度を下げることなく受信することができる。また、式１３の関係から、再起動パルスのオン部時間のデューティー比が小さくなることから、リモコン送信機の赤外線発光素子の駆動時間を低減させることができ、従来のタイミングに比べてリモコン送信機のバッテリ消耗を低減させることができる。
【００６４】
なお、本実施例ではエアコンのリモコン信号受信部として説明しているが、これに限るものなく、赤外線を用いたリモコンであれば、省電力モードを備えた一般の家電製品などに広く応用することができる。
【００６５】
また、本実施例ではフォトアンプ１にＡＧＣ回路１ｂが内蔵された構成としているが、これに限るものでなく、フォトアンプ１の外にＡＧＣ回路１ｂを備えていても同様の効果を得ることができる。
【図面の簡単な説明】
【００６６】
【図１】本発明によるリモコン信号受信回路を説明するブロック図である。
【図２】本発明によるリモコン信号受信回路のリモコン信号のタイミングを示すタイムチャートである。
【図３】従来のリモコン信号受信回路を用いた省電力装置のブロック図である。
【図４】従来のリモコン信号のタイミングを示すタイムチャートである。
【符号の説明】
【００６７】
１  フォトアンプ
１ａ  受光素子
１ｂ  増幅回路
１ｃ  ＡＧＣ回路
２  マイコン（制御手段）
２ａ  クロック信号発振回路
３  インバータ
４  抵抗
５  コンデンサ
６  パルス検出回路
７  インバータ
【図１】
0004788365.tif 000002
【図２】
0004788365.tif 000003
【図３】
0004788365.tif 000004
【図４】
0004788365.tif 000005